(57)【要約】【課題】  いつでもどこでも、ナプキン機能のあるものを適正位置で保持使用することができ、簡単に装着脱ができる見た目にもオシャレな、各種アクセサリーや多種多様な多目的での利用も可能な衣類の汚れ防止のためのホルダーを提供する。【解決手段】  取りつけ、取り外しが簡単にできる機能をもつマグネットやマジックテープ等の接続具で把持具と連結具、把持具同士、連結具の中心に取りつけて構成される衣類の汚れ防止用ホルダーとしての利用の他、そのままでも、または把持具部分を取りはずして、ネックレス、ブレスレット、上着の前留め、帽子留め、ひざ掛留めネクタイ留めや飾り、ベルト、バック用具・衣類のアクセサリー、携帯用アクセサリー、介護・福祉用品、子供用品、ペット用品等、各種のアクセサリーや多種多様な多目的での利用も可能となる。【選択図】  図３
0003108658.tif 000002
【実用新案登録請求の範囲】
【請求項１】
ハンカチ、タオル、ナプキン類等他汚れ防止の役目をはたすことのできるものを把持し得る把持具１と、連結具２の両端のそれぞれに取りつけ、取り外しが簡単にできる機能を持つマグネットからなる接続具を取り付けて構成された各種アクセサリーや多種多様な多目的での利用も可能となることを特徴とする衣類の汚れ防止用ホルダー。
【請求項２】
請求項１の衣類の防止用ホルダーの連結具の中心部分に取りつけ、取り外しが簡単にできる機能を持つマグネットからなる接続具を取りつけて構成され、また、取り付け、取り外しが簡単にできる機能を持つマグネットからなる接続具が接続された把持具どうしの連結によっても構成され、接続具部分での装着脱が手間がかからなく簡単にできることにより、各種アクセサリーや介護・福祉用品、子供用品としての利用等、多種多様な多目的での利用も可能となることを特徴とする衣類の汚れ防止用ホルダー。
【請求項３】
ハンカチ、タオル、ナプキン類等他汚れ防止の役目をはたすことのできるものを把持し得る把持具１と、連結具２の両端のそれぞれに取りつけ、取り外しが簡単にできる機能を持つマジックテープからなる接続具を取り付けて構成された各種アクセサリーや多種多様な多目的での利用も可能となることを特徴とする衣類の汚れ防止用ホルダー。
【請求項４】
請求項３の衣類の防止用ホルダーの連結具の中心部分に取りつけ、取り外しが簡単にできる機能を持つマグネットやマジックテープ等の接続具を取りつけて構成され、また、取り付け、取り外しが簡単にできる機能を持つマジックテープからなる接続具が接続された把持具どうしの連結によっても構成され、接続具部分での装着脱が手間がかからなく簡単にできることにより、各種アクセサリーや介護・福祉用品、子供用品としての利用等、多種多様な多目的での利用も可能となることを特徴とする衣類の汚れ防止用ホルダー。
【請求項５】
中心部分に取りつけ、取り外しが簡単にできる機能を持つマグネットからなる接続具がもうけてある連結具の両端に把持具を接続して構成された装着脱が手間がかからなく簡単にできることにより介護・福祉用品、子供用品等その他多種多様な多目的での利用も可能となることを特徴とする衣類の汚れ防止用ホルダー。
【請求項６】
中心部分に取りつけ、取り外しが簡単にできる機能を持つマジックテープからなる接続具がもうけてある連結具の両端に把持具を接続して構成された装着脱が手間がかからなく簡単にできることにより介護・福祉用品、子供用品等その他多種多様な多目的での利用も可能となることを特徴とする衣類の汚れ防止用ホルダー。
【考案の詳細な説明】
【技術分野】
【０００１】  この考案は着脱が簡単な衣類の汚れを防ぐための各種アクセサリーや介護・福祉用品、子供用品、ペット用品等多種多様な多目的での利用も可能となる衣類の汚れ防止用ホルダーに関するものである。
【背景技術】
【０００２】  従来、食事時等の衣類を汚れから防ぐものとしては、ナプキン類等汚れ防止に利用できるものや、首部に装着部分のあるものを使用していた。しかしながら、衣類の汚れ防止のために、ナプキン機能のあるものを胸腹部上の適正位置で保持使用することが困難であり、常に衣類の汚れの心配があった。また、首の後ろ、作業が困難な装着接続具での装着脱作業が困難であった。また、特許文献１などのハンカチーフクリップも考案されている。（本考案において、「ナプキン機能のあるもの」とは、ナプキン、ハンカチ、タオル、紙等汚れ防止に利用できるすべてのものである。）
【特許文献１】    実開平５−２０６０８号公報
【考案の開示】
【考案が解決しようとする課題】
【０００３】  本考案の課題は、いつでもどこでも、ナプキン機能のあるものを適正位置で保持使用することができ、装着脱を簡単にすることである。また、見た目にもオシャレなものとすることである。【０００４】  本考案の目的は、上記の課題に鑑み、いつでもどこでも、ナプキン機能のあるものを適正位置で保持使用することができ、装着脱が簡単で見た目にもオシャレで、各種アクセサリーや介護・福祉用品、子供用品、ペット用品等多種多様な多目的での利用も可能な衣類の汚れ防止のためのホルダーを提供することにある。
【課題を解決するための手段】
【０００５】  本考案に係る衣類の汚れ防止用ホルダーは、上記の目的を達成するため、次のように構成される。【０００６】  第１のホルダー（請求項１と請求項３に対応）は、取りつけ、取り外しが簡単にできる機能を持つマグネットやマジックテープ等の接続具３を把持具１と連結具２の両端にそれぞれ取り付けて構成される。【０００７】  第２のホルダー（請求項２と請求項４に対応）は、請求項１の衣類の汚れ防止用ホルダーの連結具の中心部分５に、取りつけ、取り外しが簡単にできる機能を持つマグネットやマジックテープ等の接続具６を取りつけて構成され、また取りつけ取り外しが簡単にできる機能を持つマグネットやマジックテープ等が接続された把持具４どうしの連結によって構成される。【０００８】  第３のホルダー（請求項５と請求項６に対応）は、把持具７を中心部分に取りつけ、取り外しが簡単にできる機能を持つマグネットやマジックテープ等の接続具９がもうけてある連結具８の両端に取り付けて構成される。
【考案の効果】
【０００９】  本考案によれば、取りつけ、取り外しが簡単にできる機能をもつマグネット、マジックテープ等の接続具を設けて構成されたことにより、簡単に装着脱ができ、いつでもどこでも、ハンカチ、タオル、ナプキン類等他衣類の汚れを防ぐことのできるものを利用して希望する場所へ保持装着することが可能であり、手間のかからない簡単な装着脱で衣類の汚れを防ぐことができるという効果がある。また、汚れ防止以外に各種アクセサリーや介護・福祉用品、子供用品、ペット用品等多種多様な多目的での利用も可能であるために便利である。さらに長期間の使用および共用も可能である。
【考案を実施するための最良の形態】
【００１０】  以下に、本考案の好適な実施形態（実施例）を添付図面に基づいて説明する。【００１１】  本考案は、連結具を首にかけて体の前でそれぞれの把持具に汚れ防止機能のあるもの（ハンカチ、タオル、ナプキン等）を挟んで、常に胸腹部上の適正な位置で保持使用される。また、把持具同士を連結させて一方の把持具に汚れ防止機能のあるもの（ハンカチ、タオル、ナプキン等）を挟み、もう一方の把持具を衣類の一部に挟んだり、ネクタイ等係止できるところに取りつけて適正な位置で保持使用される。接続具部分で簡単に装着脱する。
【実施例】
【００１２】  図１は、本考案の第１のホルダーの実施形態の斜視図、図２は図１に示すホルダーの側面図であり、図３は図１に示すホルダーの一部の使用例の斜視図である。【００１３】  本考案による第１のホルダーは、取りつけ、取り外しが簡単にできる機能を持つマグネットやマジックテープ等の接続具３を把持具１と連結具２の両端に取りつけ、把持具３に汚れ防止機能のあるもの（ハンカチ、タオル、ナプキン等）を挟んでの衣服の汚れ防止用ホルダーとしての使用の他、把持具３同士を連結させて、衣服やネクタイ等の汚れ防止としての使用の他、ネックレス、ブレスレット、ネクタイ用アクセサリー等、ひざ掛留め等、その他各種アクセサリーや介護・福祉用品、子供用品、ペット用品等の多種多様な多目的での利用も可能となる。【００１４】  図４は、本考案の第２のホルダーの実施形態の斜視図、図５は図４に示すホルダーの側面図であり、図６は図４に示すホルダーの使用例の斜視図である。【００１５】  本考案による第２のホルダーは、請求項１の連結具５の中心部分に、取りつけ、取り外しが簡単にできるマグネットやマジックテープ等の接続具６を設け、把持具４に汚れ防止機能のあるもの（ハンカチ、タオル、ナプキン等）を挟んで、簡単に装着脱できる汚れ防止用ホルダーとしての使用の他、各種アクセサリーや接続具６を利用しての介護・福祉用品、子供用品等多種多様な多目的での利用が可能となる。また、接続具が接続された把持具６同士を連結させて、一方を衣類の一部やネクタイ等係止できるところに挟み、もう一方を汚れ防止機能のあるもの（ハンカチ、タオル、ナプキン等）を挟んでネクタイ等の汚れ防止用としての使用の他、ネクタイピンやネクタイ用アクセサリー、その他各種アクセサリーや接続具６の機能を利用しての介護・福祉用品、子供用品、ペット用品等、多種多様な多目的での使用が可能となる。【００１６】  図７は、本考案による第３のホルダーの実施形態の斜視図、図８は側面図、図９はホルダーの使用例の斜視図である。【００１７】  本考案による第３のホルダーは、中心部分に取りつけ、取り外しが簡単にできる機能を持つマグネットやマジックテープ等の接続具９が設けてある連結具８の両端の接続された把持具７に汚れ防止機能のあるもの（ハンカチ、タオル、ナプキン等）を挟んで、衣類の汚れ防止用ホルダーとしての使用の他、各種アクセサリー、帽子留め、上着の前留め等、その他接続具の機能を利用しての介護・福祉用品、子供用品等、ペット用品、多種多様な多目的での使用が可能となる。
【産業上の利用可能性】
【００１８】  本考案は、衣類の汚れ防止用ホルダーとしての利用の他、各種アクセサリーや介護・福祉用品、子供用品、ペット用品等の他本考案の機能を利用して、使う者のそれぞれの使い方により多種多様な分野、多目的での利用用途が可能となる。
【図面の簡単な説明】
【００１９】
【図１】  本考案の第１のホルダーの実施形態の斜視図である。
【図２】  図１に示すホルダーの側面図である。
【図３】  図１に示す示すホルダーの使用例の斜視図である。
【図４】  本考案の第２のホルダーの実施形態の斜視図である。
【図５】  図４に示すホルダーの側面図である。
【図６】  図４に示すホルダーの使用例の斜視図である。
【図７】  本考案の第３のホルダーの実施形態の斜視図である。
【図８】  図７の側面図
【図９】  図７に示すホルダーの使用例の斜視図である。
【符号の説明】
【００２０】  １，４，７        把持具
２，５，８        連結具
３，６，９        接続具
【図１】
0003108658.tif 000003
【図２】
0003108658.tif 000004
【図３】
0003108658.tif 000005
【図４】
0003108658.tif 000006
【図５】
0003108658.tif 000007
【図６】
0003108658.tif 000008
【図７】
0003108658.tif 000009
【図８】
0003108658.tif 000010
【図９】
0003108658.tif 000011
【手続補正書】
【提出日】平成16年11月22日(2004.11.22)
【手続補正１】
【補正対象書類名】実用新案登録請求の範囲
【補正対象項目名】全文
【補正方法】変更
【補正の内容】
【実用新案登録請求の範囲】
【請求項１】
ハンカチ、タオル、ナプキン類等他汚れ防止の役目をはたすことのできるものを把持し得る把持具１と、連結具２の両端のそれぞれに取りつけ、取り外しが簡単にできる機能を持つマグネットからなる接続具を取り付けて構成された各種アクセサリーや多種多様な多目的での利用も可能となることを特徴とする衣類の汚れ防止用ホルダー。
【請求項２】
請求項１の衣類の防止用ホルダーの連結具の中心部分に取りつけ、取り外しが簡単にできる機能を持つマグネットからなる接続具を取りつけて構成され、また、取り付け、取り外しが簡単にできる機能を持つマグネットからなる接続具が接続された把持具どうしの連結によっても構成され、接続具部分での装着脱が手間がかからなく簡単にできることにより、各種アクセサリーや介護・福祉用品、子供用品としての利用等、多種多様な多目的での利用も可能となることを特徴とする衣類の汚れ防止用ホルダー。
【請求項３】
ハンカチ、タオル、ナプキン類等他汚れ防止の役目をはたすことのできるものを把持し得る把持具１と、連結具２の両端のそれぞれに取りつけ、取り外しが簡単にできる機能を持つ面ファスナーからなる接続具を取り付けて構成された各種アクセサリーや多種多様な多目的での利用も可能となることを特徴とする衣類の汚れ防止用ホルダー。
【請求項４】
請求項３の衣類の防止用ホルダーの連結具の中心部分に取りつけ、取り外しが簡単にできる機能を持つマグネットや面ファスナー等の接続具を取りつけて構成され、また、取り付け、取り外しが簡単にできる機能を持つ面ファスナーからなる接続具が接続された把持具どうしの連結によっても構成され、接続具部分での装着脱が手間がかからなく簡単にできることにより、各種アクセサリーや介護・福祉用品、子供用品としての利用等、多種多様な多目的での利用も可能となることを特徴とする衣類の汚れ防止用ホルダー。
【請求項５】
中心部分に取りつけ、取り外しが簡単にできる機能を持つマグネットからなる接続具がもうけてある連結具の両端に把持具を接続して構成された装着脱が手間がかからなく簡単にできることにより介護・福祉用品、子供用品等その他多種多様な多目的での利用も可能となることを特徴とする衣類の汚れ防止用ホルダー。
【請求項６】
中心部分に取りつけ、取り外しが簡単にできる機能を持つ面ファスナーからなる接続具がもうけてある連結具の両端に把持具を接続して構成された装着脱が手間がかからなく簡単にできることにより介護・福祉用品、子供用品等その他多種多様な多目的での利用も可能となることを特徴とする衣類の汚れ防止用ホルダー。
【手続補正２】
【補正対象書類名】明細書
【補正対象項目名】全文
【補正方法】変更
【補正の内容】
【考案の詳細な説明】
【技術分野】
【０００１】  この考案は着脱が簡単な衣類の汚れを防ぐための各種アクセサリーや介護・福祉用品、子供用品、ペット用品等多種多様な多目的での利用も可能となる衣類の汚れ防止用ホルダーに関するものである。
【背景技術】
【０００２】  従来、食事時等の衣類を汚れから防ぐものとしては、ナプキン類等汚れ防止に利用できるものや、首部に装着部分のあるものを使用していた。しかしながら、衣類の汚れ防止のために、ナプキン機能のあるものを胸腹部上の適正位置で保持使用することが困難であり、常に衣類の汚れの心配があった。また、首の後ろ、作業が困難な装着接続具での装着脱作業が困難であった。また、特許文献１などのハンカチ−フクリップも考案されている。（本考案において、「ナプキン機能のあるもの」とは、ナプキン、ハンカチ、タオル、紙等汚れ防止に利用できるすべてのものである。）
【特許文献１】  実開平５−２０６０８号公報
【考案の開示】
【考案が解決しようとする課題】
【０００３】  本考案の課題は、いつでもどこでも、ナプキン機能のあるものを適正位置で保持使用することができ、装着脱を簡単にすることである。また、見た目にもオシャレなものとすることである。【０００４】  本考案の目的は、上記の課題に鑑み、いつでもどこでも、ナプキン機能のあるものを適正位置で保持使用することができ、装着脱が簡単で見た目にもオシャレで、各種アクセサリーや介護・福祉用品、子供用品、ペット用品等多種多様な多目的での利用も可能な衣類の汚れ防止のためのホルダーを提供することにある。
【課題を解決するための手段】
【０００５】  本考案に係る衣類の汚れ防止用ホルダーは、上記の目的を達成するため、次のように構成される。【０００６】  第１のホルダー（請求項１と請求項３に対応）は、取りつけ、取り外しが簡単にできる機能を持つマグネットや面ファスナー等の接続具３を把持具１と連結具２の両端にそれぞれ取り付けて構成される。【０００７】  第２のホルダー（請求項２と請求項４に対応）は、請求項１の衣類の汚れ防止用ホルダーの連結具の中心部分５に、取りつけ、取り外しが簡単にできる機能を持つマグネットや面ファスナー等の接続具６を取りつけて構成され、また取りつけ取り外しが簡単にできる機能を持つマグネットや面ファスナー等が接続された把持具４どうしの連結によって構成される。【０００８】  第３のホルダー（請求項５と請求項６に対応）は、把持具７を中心部分に取りつけ、取り外しが簡単にできる機能を持つマグネットや面ファスナー等の接続具９がもうけてある連結具８の両端に取り付けて構成される。
【考案の効果】
【０００９】  本考案によれば、取りつけ、取り外しが簡単にできる機能をもつマグネット、面ファスナー等の接続具を設けて構成されたことにより、簡単に装着脱ができ、いつでもどこでも、ハンカチ、タオル、ナプキン類等他衣類の汚れを防ぐことのできるものを利用して希望する場所へ保持装着することが可能であり、手間のかからない簡単な装着脱で衣類の汚れを防ぐことができるという効果がある。また、汚れ防止以外に各種アクセサリーや介護・福祉用品、子供用品、ペット用品等多種多様な多目的での利用も可能であるために便利である。さらに長期間の使用および共用も可能である。
【考案を実施するための最良の形態】
【００１０】  以下に、本考案の好適な実施形態（実施例）を添付図面に基づいて説明する。【００１１】  本考案は、連結具を首にかけて体の前でそれぞれの把持具に汚れ防止機能のあるもの（ハンカチ、タオル、ナプキン等）を挟んで、常に胸腹部上の適正な位置で保持使用される。また、把持具同士を連結させて一方の把持具に汚れ防止機能のあるもの（ハンカチ、タオル、ナプキン等）を挟み、もう一方の把持具を衣類の一部に挟んだり、ネクタイ等係止できるところに取りつけて適正な位置で保持使用される。接続具部分で簡単に装着脱する。
【実施例】
【００１２】  図１は、本考案の第１のホルダーの実施形態の斜視図、図２は図１に示すホルダーの側面図であり、図３は図１に示すホルダーの一部の使用例の斜視図である。【００１３】  本考案による第１のホルダーは、取りつけ、取り外しが簡単にできる機能を持つマグネットや面ファスナー等の接続具３を把持具１と連結具２の両端に取りつけ、把持具３に汚れ防止機能のあるもの（ハンカチ、タオル、ナプキン等）を挟んでの衣服の汚れ防止用ホルダーとしての使用の他、把持具３同士を連結させて、衣服やネクタイ等の汚れ防止としての使用の他、ネックレス、ブレスレット、ネクタイ用アクセサリー等、ひざ掛留め等、その他各種アクセサリーや介護・福祉用品、子供用品、ペット用品等の多種多様な多目的での利用も可能となる。【００１４】  図４は、本考案の第２のホルダーの実施形態の斜視図、図５は図４に示すホルダーの側面図であり、図６は図４に示すホルダーの使用例の斜視図である。【００１５】  本考案による第２のホルダーは、請求項１の連結具５の中心部分に、取りつけ、取り外しが簡単にできるマグネットや面ファスナー等の接続具６を設け、把持具４に汚れ防止機能のあるもの（ハンカチ、タオル、ナプキン等）を挟んで、簡単に装着脱できる汚れ防止用ホルダーとしての使用の他、各種アクセサリーや接続具６を利用しての介護・福祉用品、子供用品等多種多様な多目的での利用が可能となる。また、接続具が接続された把持具６同士を連結させて、一方を衣類の一部やネクタイ等係止できるところに挟み、もう一方を汚れ防止機能のあるもの（ハンカチ、タオル、ナプキン等）を挟んでネクタイ等の汚れ防止用としての使用の他、ネクタイピンやネクタイ用アクセサリー、その他各種アクセサリーや接続具６の機能を利用しての介護・福祉用品、子供用品、ペット用品等、多種多様な多目的での使用が可能となる。【００１６】  図７は、本考案による第３のホルダーの実施形態の斜視図、図８は側面図、図９はホルダーの使用例の斜視図である。【００１７】  本考案による第３のホルダーは、中心部分に取りつけ、取り外しが簡単にできる機能を持つマグネットや面ファスナー等の接続具９が設けてある連結具８の両端の接続された把持具７に汚れ防止機能のあるもの（ハンカチ、タオル、ナプキン等）を挟んで、衣類の汚れ防止用ホルダーとしての使用の他、各種アクセサリー、帽子留め、上着の前留め等、その他接続具の機能を利用しての介護・福祉用品、子供用品等、ペット用品、多種多様な多目的での使用が可能となる。
【産業上の利用可能性】
【００１８】  本考案は、衣類の汚れ防止用ホルダーとしての利用の他、各種アクセサリーや介護・福祉用品、子供用品、ペット用品等の他本考案の機能を利用して、使う者のそれぞれの使い方により多種多様な分野、多目的での利用用途が可能となる。
【図面の簡単な説明】
【００１９】
【図１】  本考案の第１のホルダーの実施形態の斜視図である。
【図２】  図１に示すホルダーの側面図である。
【図３】  図１に示す示すホルダーの使用例の斜視図である。
【図４】  本考案の第２のホルダーの実施形態の斜視図である。
【図５】  図４に示すホルダーの側面図である。
【図６】  図４に示すホルダーの使用例の斜視図である。
【図７】  本考案の第３のホルダーの実施形態の斜視図である。
【図８】  図７の側面図
【図９】  図７に示すホルダーの使用例の斜視図である。
【符号の説明】
【００２０】  １，４，７      把持具
２，５，８      連結具
３，６，９      接続具